(57)【要約】【課題】処理の実行を指示するための指示受付部を画面から削除するまでの期間を、ユーザにより当該指示受付部に対して設定された情報に応じて変化させる。【解決手段】処理装置１０は、１又は複数のアイコンを含む画面を表示する。処理装置１０は、アイコンを作成すると、そのアイコンを画面から削除するまでの期間である削除猶予期間を、当該アイコンに対してユーザにより設定された情報に基づいて設定する。この情報は、例えば、アイコン名である。アイコン名は、アイコンが使用される可能性のあるタイミングを推定する手がかりとなる。処理装置１０は、削除猶予期間が経過すると、画面からアイコンを削除する。【選択図】図４
2018032250.tif 000002
【特許請求の範囲】
【請求項１】
処理の実行を指示するための１又は複数の指示受付部を含む画面を表示する表示部と、
いずれかの前記指示受付部を選択する第１操作を受け付ける第１受付部と、
選択された前記指示受付部に応じた処理を実行する実行部と、
前記画面から一の前記指示受付部を削除するまでの期間を、当該指示受付部に対してユーザにより設定された情報に基づいて設定する設定部と、
前記期間が経過すると、前記画面から前記一の指示受付部を削除する削除部と
を備える処理装置。
【請求項２】
処理を指定するパラメータを設定する第２操作を受け付ける第２受付部と、
前記第２操作で設定された前記パラメータを用いた処理の実行を指示するための指示受付部を、前記画面に配置する配置部と
を備え、
前記設定部は、前記第２操作の複雑度が高い場合ほど、当該第２操作に応じて配置された前記指示受付部を削除するまでの期間を長くする
ことを特徴とする請求項１に記載の処理装置。
【請求項３】
前記削除部は、前記第２操作の複雑度が高い場合ほど、当該第２操作に応じて配置された前記指示受付部を削除するための処理を多くする
ことを特徴とする請求項２に記載の処理装置。
【請求項４】
前記設定部は、前記画面での複数の前記指示受付部の密集度が高い場合ほど、当該指示受付部を削除するまでの期間を短くする
ことを特徴とする請求項１から請求項３のいずれか１項に記載の処理装置。
【請求項５】
前記表示部は、前記画面内の同一の位置に割り当てられた２以上の前記指示受付部のうち、当該２以上の指示受付部の属性に応じたいずれか１つの指示受付部を、当該位置に表示する
ことを特徴とする請求項１から請求項４のいずれか１項に記載の処理装置。
【請求項６】
処理の実行を指示するための１又は複数の指示受付部を含む画面を表示し、いずれかの前記指示受付部を選択する操作を受け付けると、選択された前記指示受付部に応じた処理を実行する処理装置のコンピュータに、
前記画面から一の前記指示受付部を削除するまでの期間を、当該指示受付部に対してユーザにより設定された情報に基づいて設定するステップと、
前記期間が経過すると、前記画面から前記一の指示受付部を削除するステップと
を実行させるためのプログラム。
【発明の詳細な説明】
【技術分野】
【０００１】
本発明は、処理装置及びプログラムに関する。
【背景技術】
【０００２】
画像形成装置等の処理装置は、アイコンの操作に応じて、そのアイコンと関連付けられた処理を実行する機能を有することがある。このような処理装置では、同一画面に多数のアイコンが配置されることとなった結果、ユーザが目的のアイコンを発見するのが困難になる場合がある。特許文献１には、一定時間使用されていないアイコンを、画面から削除することが記載されている。特許文献２には、機能の利用状況に基づいて、ショートカットキーの削除することが記載されている。
【先行技術文献】
【特許文献】
【０００３】
【特許文献１】特開２００５−３２２１３５号公報
【特許文献２】特開２００８−２９４６３２号公報
【発明の概要】
【発明が解決しようとする課題】
【０００４】
本発明の目的は、処理の実行を指示するための指示受付部を画面から削除するまでの期間を、ユーザにより当該指示受付部に対して設定された情報に応じて変化させることである。
【課題を解決するための手段】
【０００５】
本発明の請求項１に係る処理装置は、処理の実行を指示するための１又は複数の指示受付部を含む画面を表示する表示部と、いずれかの前記指示受付部を選択する第１操作を受け付ける第１受付部と、選択された前記指示受付部に応じた処理を実行する実行部と、前記画面から一の前記指示受付部を削除するまでの期間を、当該指示受付部に対してユーザにより設定された情報に基づいて設定する設定部と、前記期間が経過すると、前記画面から前記一の指示受付部を削除する削除部とを備える。
【０００６】
本発明の請求項２に係る処理装置は、請求項１に係る構成において、処理を指定するパラメータを設定する第２操作を受け付ける第２受付部と、前記第２操作で設定された前記パラメータを用いた処理の実行を指示するための指示受付部を、前記画面に配置する配置部とを備え、前記設定部は、前記第２操作の複雑度が高い場合ほど、当該第２操作に応じて配置された前記指示受付部を削除するまでの期間を長くすることを特徴とする。
【０００７】
本発明の請求項３に係る処理装置は、請求項２に係る構成において、前記削除部は、前記第２操作の複雑度が高い場合ほど、当該第２操作に応じて配置された前記指示受付部を削除するための処理を多くすることを特徴とする。
【０００８】
本発明の請求項４に係る処理装置は、請求項１から請求項３のいずれか１項に係る構成において、前記設定部は、前記画面での複数の前記指示受付部の密集度が高い場合ほど、当該指示受付部を削除するまでの期間を短くすることを特徴とする。
【０００９】
本発明の請求項５に係る処理装置は、請求項１から請求項４のいずれか１項に係る構成において、前記表示部は、前記画面内の同一の位置に割り当てられた２以上の前記指示受付部のうち、当該２以上の指示受付部の属性に応じたいずれか１つの指示受付部を、当該位置に表示することを特徴とする。
【００１０】
本発明の請求項６に係るプログラムは、処理の実行を指示するための１又は複数の指示受付部を含む画面を表示し、いずれかの前記指示受付部を選択する操作を受け付けると、選択された前記指示受付部に応じた処理を実行する処理装置のコンピュータに、前記画面から一の前記指示受付部を削除するまでの期間を、当該指示受付部に対してユーザにより設定された情報に基づいて設定するステップと、前記期間が経過すると、前記画面から前記一の指示受付部を削除するステップとを実行させるためのプログラムである。
【発明の効果】
【００１１】
請求項１，６に係る発明によれば、処理の実行を指示するための指示受付部を画面から削除するまでの期間を、ユーザにより当該指示受付部に対して設定された情報に応じて変化させることができる。
請求項２に係る発明によれば、処理を指定するパラメータを設定する操作が複雑である指示受付部ほど、当該指示受付部の再作成の必要を生じさせにくくすることができる。
請求項３に係る発明によれば、処理を指定するパラメータを設定する操作が複雑である指示受付部ほど、当該指示受付部が誤って削除される可能性を低くすることができる。
請求項４に係る発明によれば、処理の実行を指示するための指示受付部が密集している場合ほど、当該指示受付部を削除するまでの期間を短くしない場合に比べて、当該指示受付部が誤って選択されてしまう可能性を低くすることができる。
請求項５に係る発明によれば、同一画面内の同一位置に表示される指示受付部の選択により、その選択のタイミングに応じた処理の実行を指示し得るようにすることができる。
【図面の簡単な説明】
【００１２】
【図１】本発明の一実施形態に係る処理装置のハードウェア構成を示すブロック図。
【図２】同実施形態に係るアイコン画面の一例を示す図。
【図３】同実施形態に係るアイコン情報の構成を示す図。
【図４】同実施形態に係る処理装置の機能構成を示すブロック図。
【図５】同実施形態に係る処理装置が行うアイコンの作成に係る処理を示すフローチャート。
【図６】同実施形態に係るアイコンの作成（配置）後のアイコン画面の一例を示す図。
【図７】同実施形態に係る処理装置が行うアイコンの自動削除に係る処理を示すフローチャート。
【図８】同実施形態に係る第１削除処理を示すフローチャート。
【図９】同実施形態に係る第２削除処理を示すフローチャート。
【図１０】同実施形態に係るアイコンの自動削除後のアイコン画面の一例を示す図。
【図１１】同実施形態に係る処理装置が行う削除可能リストからのアイコンの削除に係る処理を示すフローチャート。
【図１２】同実施形態に係るアイコン画面の表示制御の概要を示す図。
【図１３】同実施形態に係る処理装置が行うアイコン画面の表示制御を示すフローチャート。
【図１４】同実施形態に係る処理装置が行うアイコンの密集度に応じて削除猶予期間を設定する処理を示すフローチャート。
【図１５】同実施形態に係る処理装置が行うアイコンの密集度に応じた削除猶予期間の設定例を示す図。
【発明を実施するための形態】
【００１３】
［実施形態］
以下、本発明の処理装置を処理装置１０に適用した場合を説明する。処理装置１０は、コピー、スキャン、及びファクシミリ送信を含む複数の機能を有する画像形成装置である。
【００１４】
図１は、処理装置１０のハードウェア構成を示すブロック図である。処理装置１０は、制御部１１と、タッチスクリーン１２と、通信部１３と、スタートボタン１４と、画像読取部１５と、画像形成部１６と、記憶部１７とを備える。
【００１５】
制御部１１は、処理装置１０の各部を制御する。制御部１１は、例えばＣＰＵ（Central Processing Unit）、ＲＯＭ（Read Only Memory）、及びＲＡＭ（Random Access Memory）を含むプロセッサを有する。ＣＰＵは、ＲＯＭ又は記憶部１７に記憶されたプログラムをＲＡＭに読み出して実行する。ＣＰＵは、ＲＡＭを作業領域として用いて、各種の制御を行う。タッチスクリーン１２は、画像を表示する表示部１２１と、表示部１２１の表示面に重ねて設けられたタッチパネル１２２とを含む。タッチパネル１２２は、ユーザにより操作される操作部の一例である。通信部１３は、外部の装置と通信する。通信部１３は、電話回線、及びインターネット等の通信回線を介して通信する。通信部１３は、例えばモデムを有する。
【００１６】
スタートボタン１４は、処理装置１０に処理の実行の開始を指示するための操作子である。スタートボタン１４は、ユーザにより操作される操作部の一例である。画像読取部１５は、原稿の画像を読み取って、読み取った画像を示す画像データを生成する。画像読取部１５は、例えばスキャナを有する。画像形成部１６は、用紙等の媒体に画像を形成する。画像形成部１６は、例えば電子写真方式を採用したプリンタを有する。
【００１７】
処理装置１０のコピー機能が利用される場合、制御部１１は、画像読取部１５に原稿の画像を読み取らせる。そして、制御部１１は、画像読取部１５によって生成された画像データに応じた画像を、画像形成部１６により媒体に形成させる。スキャン機能が利用される場合、制御部１１は、画像読取部１５に原稿の画像を読み取らせる。そして、制御部１１は、画像読取部１５によって生成された画像データを、通信部１３を介して送信する。ファクシミリ送信機能が利用される場合、制御部１１は、画像読取部１５に原稿の画像を読み取らせる。そして、制御部１１は、画像読取部１５によって生成された画像データを、通信部１３を介して、図示せぬ電話回線を介してファクシミリ送信する。
【００１８】
処理装置１０は、アイコン画面を介して、ユーザによる処理の実行を指示する操作を受け付ける機能を有する。アイコン画面は、処理の実行を指示するための１又は複数のアイコンを含む画面である。アイコンは本発明の指示受付部の一例である。
【００１９】
図２は、アイコン画面の一例を示す図である。図２に示すアイコン画面ＳＣは、横方向に４列、及び縦方向に２行の計８個の領域に区分し、各領域にアイコンを配置可能になっている。各領域に配置するアイコンの配置の有無や、配置するアイコンの種類については、ユーザが指定可能である。
【００２０】
図２に示すように、アイコン画面ＳＣには、アイコンＩ１〜Ｉ７が配置されている。本実施形態のアイコンには、右上隅部に丸囲みの「１」が付されたアイコンＩ４〜Ｉ７と、そうではないアイコンＩ１〜Ｉ３とが含まれる。アイコンＩ４〜Ｉ７は、利用する機能の種別、当該機能に係る処理を指定するパラメータの設定、及び当該処理の実行の開始を、１回の操作で指示するためのアイコンである。このようなアイコンを、以下では、「ワッチタッチ選択用アイコン」という。ユーザが、ワンタッチ選択用アイコンを選択する操作を行った場合、処理装置１０は、当該アイコンに応じた処理の実行を開始する。例えば、ユーザがアイコンＩ７の位置に指を触れさせると、処理装置１０は、カラーモードのパラメータを「モノクロ」、及び用紙選択のパラメータを「Ａ４」に設定して、コピー機能に係る処理を開始する。
【００２１】
なお、パラメータの具体例として、以下のパラメータがある。コピー機能の場合、パラメータは、例えば、縮小又は拡大の倍率、用紙のサイズ、画像の形成に用いるモードであるカラーモード等を含む。スキャン機能、又はコピー機能の場合、パラメータは、例えば、読み取った画像の色のモードであるカラーモード、読取面（片面又は両面）、画質（例えば解像度）、及び出力ファイル形式を指定するパラメータ等を含む。スキャン機能、又はファクシミリ送信機能の場合は、パラメータは、更にデータの出力先又は送信先を指定するパラメータ等を含む。
【００２２】
ワッチタッチ選択用アイコン以外のアイコンは、ユーザにより操作されただけでは、処理の実行が開始されないものとする。例えば、アイコンＩ１〜Ｉ３が選択されると、パラメータを設定するための画面に切り替わる。パラメータの設定後、スタートボタン１４の操作に応じて、処理装置１０は処理の実行を開始する。
【００２３】
処理装置１０は、ログインしたユーザに応じて異なるアイコン画面を表示する。即ち、処理装置１０は、ユーザ毎にアイコン画面を表示する、
なお、処理装置１０が表示するユーザ毎のアイコン画面は、１つに限られず、２つ以上存在してもよい。
【００２４】
図１に戻り、記憶部１７は、データを記憶する。記憶部１７は、例えば、制御部１１が実行するプログラム、アイコン情報１７１、及び削除可能リスト１７２を記憶する。記憶部１７は、例えばハードディスク装置を有する。
【００２５】
図３は、アイコン情報１７１の構成を示す図である。アイコン情報１７１は、処理装置１０が表示するアイコンに関する情報を含む。アイコン情報１７１は、ここでは、図３に示すテーブル形式のデータであるが、具体的なデータの形式は特に問わない。
【００２６】
アイコン情報１７１は、「ユーザＩＤ」と、「アイコン名」と、「位置情報」と、「機能」と、「パラメータ」と、「削除猶予期間」と、「経過日数」という各情報を対応付けたテーブルである。
ユーザＩＤは、処理装置１０のユーザを識別する識別子である。ユーザＩＤは、例えばユーザのアカウントを識別する識別子である。アイコン名は、アイコンの名称を示す。位置情報は、当該アイコンが配置される位置を示す情報である。機能は、当該アイコンの選択により利用される機能の種別を示す情報である。パラメータは、当該アイコンの選択により実行される処理を指定するパラメータである。削除猶予期間は、当該アイコンがアイコン画面から削除されるまでの期間（猶予期間）を示す情報である。削除猶予期間を経過したアイコンは、ユーザの操作によらないで、アイコン画面から削除（即ち自動削除）される。経過日数は、ユーザにより当該アイコンが選択されていない日数、より具体的には、アイコンが選択されない状態が続いた日数（連続日数）を示す情報である。
【００２７】
図３に示すように、ここでは、パラメータ、削除猶予期間、及び経過日数は、ワンタッチ選択用アイコンであるアイコンＩ４〜Ｉ７に対して設定され、ワンタッチ選択用アイコンでないアイコンには設定されていない。この場合、ワンタッチ選択用アイコンでないアイコンは、削除猶予期間の経過を理由に削除されない。
【００２８】
削除可能リスト１７２は、アイコン画面からアイコンが削除された場合に、当該アイコンに関する情報が登録されるリストである。削除可能リスト１７２に情報が登録されたアイコンは、その情報に基づいて、アイコン画面に再配置されることがある。一方、削除可能リスト１７２からその情報が削除されると、その情報に基づくアイコンの再配置は不可能である。
【００２９】
図４は、処理装置１０の制御部１１の機能構成を示すブロック図である。制御部１１は、表示制御部１１１と、第１受付部１１２と、第２受付部１１３と、実行部１１４と、配置部１１５と、設定部１１６と、削除部１１７とを有する。
表示制御部１１１は、表示部１２１の表示を制御する。表示制御部１１１は、例えば、アイコン情報１７１に基づいて、アイコン画面を表示する制御を行う。第１受付部１１２は、タッチパネル１２２を用いた操作により、アイコン画面に配置されたいずれかのアイコンを選択する第１操作を受け付ける。第２受付部１１３は、タッチパネル１２２を用いた第２操作により、例えば処理を指定するパラメータを設定する第２操作を受け付ける。実行部１１４は、第１操作により選択されたアイコンに応じた処理を実行する。実行部１１４は、第２操作で設定されたパラメータを用いた処理を実行する。
【００３０】
配置部１１５は、第２操作で設定されたパラメータを用いた処理の実行を指示するためのアイコンを、アイコン画面に配置する。
【００３１】
設定部１１６は、アイコン画面から一のアイコンを削除するまでの期間である削除猶予期間を、当該アイコンに対してユーザにより設定された情報に基づいて設定する。この「情報」は、削除猶予期間そのものではないが、削除猶予期間を特定する情報である。この情報として、本実施形態では、アイコン名、及びそのアイコンの選択により実行される処理を指定するパラメータを考える。
【００３２】
アイコン名は、例えば、そのアイコンが選択されるタイミング（時間的条件）を示す情報を含むことがある。例えば、アイコン名に「♯月」（ただし、「♯」は数字）という文字列が含まれる場合、そのアイコンを使用する処理が、「♯月」に実行される可能性がある。また、アイコン名に「月次」という文字列が含まれる場合、そのアイコンを使用する処理が月末に行われる可能性がある。このように、アイコン名は、そのアイコンを選択した処理が実行されるタイミングを推定する手がかりとなる。
【００３３】
パラメータは、当該パラメータを設定する操作の複雑度合い（つまり、複雑度）の指標となる。例えば、パラメータの種類、又はパラメータを設定する操作の回数（ステップ数）が多い場合ほど、そのパラメータを設定する操作が、ユーザにとって複雑であると考えられる。例えば、スキャン機能で生成されたデータの出力先が１つだけ設定される場合と、５つ設定される場合とでは、後者の方が操作の回数が多い。この場合、パラメータを設定する操作が複雑なのは、後者である。
【００３４】
設定部１１６は、例えばアイコン名に基づき、そのアイコンが選択されるタイミングが到来する前にアイコンが自動削除されることがないように、削除猶予期間を設定する。また、設定部１１６は、例えばアイコン情報１７１のパラメータに基づき、パラメータを設定する操作の複雑度が高い場合ほど削除猶予期間を長くするように、その設定を行う。その理由は、複雑度が高い操作ほど、ユーザに再び同じ操作をさせる機会が発生しにくいことが望ましいからである。反対に、パラメータの設定にあまり操作を要しなかった場合は、仮にアイコンが自動削除されても、同じ操作をユーザにさせても、ユーザの負担は比較的小さい。
【００３５】
削除部１１７は、アイコン情報１７１に基づき、削除猶予期間が経過すると、アイコン画面から当該削除猶予期間が経過したアイコンを削除する。アイコン画面からのアイコンを削除する処理は、少なくとも、当該アイコン画面にアイコンが表示されなくする処理である。例えば、アイコン画面から削除されたアイコンが、当該アイコン画面と異なる画面（例えば、削除済みのアイコンの一覧画面）に表示されてもよい。また、削除部１１７は、削除したアイコンに関する情報を、削除可能リスト１７２に登録することがある。
【００３６】
＜Ａ：アイコンの作成＞
図５は、処理装置１０が行うワンタッチ選択用アイコンの作成に係る処理を示すフローチャートである。
第２受付部１１３は、機能及び当該機能に係る処理を指定するパラメータを設定する操作を受け付ける（ステップＳ１）。配置部１１５は、ステップＳ１で設定された機能、及びパラメータに基づいて、アイコンをアイコン画面に配置する（ステップＳ２）。具体的には、配置部１１５は、設定された機能に係る処理を設定されたパラメータを用いて実行するよう指示するためのアイコンを作成し、ユーザＩＤ、アイコン名、位置情報、機能、及びパラメータを対応付けて、アイコン情報１７１に記録する。次に、設定部１１６は、ステップＳ２で作成したアイコンについての削除猶予期間を、当該アイコンに対してユーザにより設定された情報に基づいて設定する（ステップＳ３）。
【００３７】
ステップＳ３において、アイコン名に基づいて削除猶予期間を設定する場合、設定部１１６は、例えば以下の条件に従ってその設定を行う。
（ｉ）「（数字）＋「日」」（数字に続けて、「日」という文字が含まれる。）という文字列がアイコン名に含まれる場合、削除猶予期間を１ヶ月とする。
（ii）（ｉ）の条件を満たさず、「日」という文字がアイコン名に含まれる場合、削除猶予期間を１日とする。
（iii）「（数字）＋「月」」（数字に続けて、「月」という文字が含まれる。）という文字列がアイコン名に含まれる場合、削除猶予期間を１年とする。
（iv）（iii）の条件を満たさず、「月」という文字がアイコン名に含まれる場合、削除猶予期間を１ヶ月とする。
（ｖ）「年」という文字がアイコン名に含まれる場合、削除猶予期間を１年とする。
（vi）「いつもの」という文字列がアイコン名に含まれる場合、削除猶予期間を１０日とする。
（vii）「月次」という文字列がアイコン名に含まれる場合、削除猶予期間を１ヶ月とする。
（viii）「年次」という文字列がアイコン名に含まれる場合、削除猶予期間を１年とする。
なお、（ｉ）〜（viii）のアイコン名と削除猶予期間との関係は一例に過ぎず、他の関係が採用されてもよい。
【００３８】
ステップＳ３において、パラメータを設定する操作の複雑度に応じた削除猶予期間を設定する場合、設定部１１６は、複雑度が高いほど、削除猶予期間を長くし、複雑度が低いほど、削除猶予期間を短くする。
なお、パラメータを設定する操作の複雑度と削除猶予期間との関係については、予め決められていればよい。
【００３９】
図６は、アイコンの作成（配置）後のアイコン画面の一例を示す図である。図６のアイコン画面ＳＣでは、アイコンＩ８が新たに配置されている。ユーザは、以降、このアイコンＩ８を選択することで、パラメータを設定する操作をしなくとも、アイコン画面を介して、処理の実行を指示し得る。
【００４０】
＜Ｂ：アイコンの自動削除＞
図７は、処理装置１０が行うアイコンの自動削除に係る処理を示すフローチャートである。
処理装置１０にユーザがログインすると、表示制御部１１１はアイコン画面を表示する（ステップＳ１１）。ここでは、ユーザＩＤ「Ｕ００１」のユーザがログインしたとする。この場合、表示制御部１１１は、図３のアイコン情報１７１に基づいて、図２のアイコン画面ＳＣを表示する。
【００４１】
次に、削除部１１７は、当該ユーザのその日の初回のログインかどうかを判定する（ステップＳ１２）。ここで、ユーザＩＤ「Ｕ００１」のユーザがログインし、且つそれがその日の最初のログインであったとする。この場合、削除部１１７は、当該ユーザのアイコン画面に含まれるアイコンについて、アイコン情報１７１の経過日数に「１」を加算する（ステップＳ１３）。ここでは、削除部１１７は、ユーザＩＤ「Ｕ００１」に対応付けられた全ての経過日数に、「１」を加算する。ステップＳ１３の処理は、ユーザがログインした日のうち、アイコンが使用されなかった経過日数を数えるための処理である。初回ログインの時点では、未だアイコンを選択する操作が行われていないので、経過日数に「１」を加算しておくわけである。
なお、削除部１１７は、ステップＳ１２でログインがその日の最初のログインでない、つまり２回目以降のログインであると判定した場合は（ステップＳ１２；ＮＯ）、ステップＳ１３の処理をスキップする。
【００４２】
次に、削除部１１７は、アイコン情報１７１に基づいて、経過日数が削除猶予期間を超えているアイコンがあるかどうかを判定する（ステップＳ１４）。ステップＳ１４で「ＹＥＳ」と判定した場合、削除部１１７は、該当するアイコンをアイコン画面から削除するための第１削除処理を行う（ステップＳ１５）。ここでは、削除部１１７は、アイコンＩ６について第１削除処理を行う。
【００４３】
図８は、第１削除処理を示すフローチャートである。
削除部１１７は、該当するアイコンについて、パラメータを設定する操作の複雑度を判定する（ステップＳ１５１）。複雑度は、アイコン情報１７１を参照して、ステップＳ３で扱われる複雑度と同じ方法で判定されてよい。以下では、複雑度は、高い順に「高」、「中」、「低」の３段階に区分されているものとする。
次に、削除部１１７は、判定した複雑度が「低」かどうかを判定する（ステップＳ１５２）。ステップＳ１５２で複雑度が「低」と判定した場合、削除部１１７は、削除可能リスト１７２に該当のアイコンの情報を登録することなく、アイコン画面から当該アイコンを削除する（ステップＳ１５３）。複雑度が相対的に低い処理の実行を指示するためのアイコンについては、その再作成が比較的容易であるという理由から、削除可能リスト１７２に情報が登録されない。
【００４４】
ステップＳ１５２で複雑度が「中」又は「高」と判定した場合、削除部１１７は、アイコンを削除可能リスト１７２に移動させる（ステップＳ１５４）。具体的には、削除部１１７は、アイコン画面からアイコンを削除し、且つ当該アイコンの情報を削除可能リスト１７２に登録する。複雑度が中程度以上の処理の実行する指示するためのアイコンについては、その再作成に手間が掛かる可能性がある。よって、削除部１１７は、削除可能リスト１７２に情報を登録しておき、アイコン画面へのアイコンの再配置を容易にする。ここでは、アイコン画面ＳＣからアイコンＩ６が削除されて、図１０に示すようなアイコン画面ＳＣに更新される。
以上が、第１削除処理の説明である。
【００４５】
図７に戻って説明する。
ステップＳ１４で経過日数が削除猶予期間を超えているアイコンがないと判定した場合は（ステップＳ１４；ＮＯ）、削除部１１７は、ステップＳ１５の第１削除処理をスキップする。
【００４６】
次に、削除部１１７は、アイコン情報１７１に基づいて、経過日数が削除猶予期間の２倍を超えているアイコンがあるかどうかを判定する（ステップＳ１６）。ステップＳ１６で「ＹＥＳ」と判定した場合、削除部１１７は、該当するアイコンをアイコン画面から削除するための第２削除処理を行う（ステップＳ１７）。
【００４７】
図９は、第２削除処理を示すフローチャートである。
削除部１１７は、該当するアイコンについて、パラメータを設定する操作の複雑度を判定する（ステップＳ１７１）。複雑度は、ステップＳ３，Ｓ１５１で扱われる複雑度と同じ方法で判定されてよい。
次に、削除部１１７は、該当のアイコンについての複雑度が「低」又は「中」のどちらかであるかを判定する（ステップＳ１７２）。ステップＳ１７２で複雑度が「低」又は「中」と判定した場合、削除部１１７は、削除可能リスト１７２に登録された該当のアイコンの情報を削除する（ステップＳ１７３）。複雑度が「中」以下のアイコンであって、削除猶予期間の２倍という長期間を超えても削除可能リスト１７２に情報が登録されているアイコンについては、その後に使用される可能性は低いと考えられる。よって、削除部１１７は、ステップＳ１７３でアイコンの情報を削除する。例えばアイコンＩ６が、経過日数が６２日（つまり、削除猶予期間である３１日の２倍）を経過するまでにアイコン画面に再配置されることなかった場合、又は再配置されても経過日数が６２日経過するまでに一度も使用されなかった場合は、そのアイコンの複雑度が「中」又は「低」であることを条件に、削除可能リスト１７２から情報が削除される。
【００４８】
ステップＳ１７２で複雑度が「高」と判定した場合、削除部１１７は、削除可能リスト１７２から該当のアイコンの情報を削除することなく、第２削除処理を終了する。複雑度が「高」の処理の実行する指示するためのアイコンについては、その再配置に手間が掛かる可能性がある。よって、削除可能リスト１７２に情報が登録された期間が長くとも、完全にはアイコンを削除しないことで、そのアイコンのアイコン画面への再配置を容易にする。
以上が、第２削除処理の説明である。  なお、第１削除処理、及び第２削除処理において、保護又は削除が禁止されているアイコンについては、アイコン画面から削除されないようにしてもよい。
【００４９】
図７に戻って説明する。
ステップＳ１６で、経過日数が削除猶予期間の２倍の期間を超えているアイコンがないと判定した場合は（ステップＳ１６；ＮＯ）、削除部１１７はステップＳ１７の第２削除処理をスキップする。
【００５０】
次に、実行部１１４は、アイコンを選択する操作により処理の実行が指示されたかどうかを判定する（ステップＳ１８）。実行部１１４は、第１受付部１１２がアイコンを選択する操作を受け付けたと判定した場合（ステップＳ１８；ＹＥＳ）、そのアイコンに応じた処理を実行する（ステップＳ１９）。次に、削除部１１７は、アイコン情報１７１において、選択されたアイコンについての経過日数を「０」にする（ステップＳ２０）。アイコンが使用された場合は、アイコンが使用されない日の継続日数が途絶えるので、経過日数を「０」にする。
なお、ステップＳ１８で「ＮＯ」と判定された場合は、実行部１１４は、ステップＳ１９，Ｓ２０の処理をスキップする。
【００５１】
次に、処理装置１０においては、ユーザがログアウトするかどうかが判定され（ステップＳ２１）、ログインが継続していると判定した場合は（ステップＳ２１；ＮＯ）、ステップＳ１８の処理に戻り、ログアウトすると判定した場合は（ステップＳ２１；ＹＥＳ）、ログアウトする（ステップＳ２２）。
以上が、処理装置１０が行うアイコンの自動削除に係る処理の説明である。
【００５２】
＜Ｃ：削除可能リスト１７２からのアイコンの削除＞
削除可能リスト１７２からのアイコンの削除は、ユーザの手動によっても行われる。
図１１は、処理装置１０が行うアイコンの削除に係る処理を示すフローチャートである。削除部１１７は、タッチパネル１２２を用いた操作により、削除可能リスト１７２からアイコンの情報を削除する操作を受け付ける（ステップＳ３１）。次に、削除部１１７は、該当のアイコンが保護又は削除が禁止されているかどうかを判定する（ステップＳ３２）。アイコンの保護や削除の禁止は、予め決められてもよいし、ユーザにより設定されていてもよい。ステップＳ３２で「ＮＯ」と判定した場合は、削除部１１７は、該当のアイコンの情報を削除可能リスト１７２から削除する（ステップＳ３３）。ステップＳ３２で「ＹＥＳ」と判定した場合は、削除部１１７は、該当のアイコンの情報を削除可能リスト１７２から削除しない。
【００５３】
なお、管理者等の特定の人物が配布したアイコンについては、削除可能リスト１７２からの情報の削除を不可としてもよい。この場合において、当該特定の人物の権限がある場合にのみ、アイコンが削除されてもよい。また、保護されているアイコンについては、保護されていないアイコンとは、削除するための操作が異なっていてもよい。例えば、保護されていないアイコンは、長押しの操作で削除され得るが、保護されているアイコンは、その操作では削除不可とする。
【００５４】
＜Ｄ：処理装置１０が同一の位置に複数のアイコンを配置した場合の処理＞
処理装置１０は、アイコン画面内の同一の位置に、２つ以上のアイコンを配置し得るようになっている。図１２の例では、アイコンＩ５とアイコンＩ７とに挟まれる位置に、アイコンＩ１１，Ｉ１２，Ｉ１３，Ｉ１４の４つが割り当てられている。この場合、処理装置１０は、これらのアイコンの属性に応じたいずれか１つのアイコンを、アイコン画面に配置する。アイコンの属性は、例えば、アイコンの選択により実行される処理に関する属性で、ここでは当該処理が実行されるタイミングとする。ここにおいて、アイコンＩ１１は、１月に実行されるべき処理Ａを指示するためのアイコンである。アイコンＩ１２は、４〜１０月に実行されるべき処理Ｂを指示するためのアイコンである。アイコンＩ１３は、１１〜３月に実行されるべき処理Ｃを指示するためのアイコンである。アイコンＩ１４は、１１月に実行されるべき処理Ｄを指示するためのアイコンである。
【００５５】
また、アイコンＩ１１，Ｉ１２、Ｉ１３，Ｉ１４には、表示優先度が割り当てられている。表示優先度もアイコンの属性の一例である。表示優先度は、同一位置に割り当てられた２つ以上のアイコンが表示する条件を満たした場合に、どのアイコンを表示するかを決定するために用いられる。表示優先度は、例えばユーザにより設定されてもよいし、処理の複雑度が高いほど表示優先度を高くする等して、ユーザによらないで設定されてもよい。ここでは、アイコンＩ１１，Ｉ１２、Ｉ１３，Ｉ１４の順で、表示優先度が高い。
【００５６】
図１３は、処理装置１０が行うアイコンの表示制御を示すフローチャートである。
表示制御部１１１は、アイコン画面内の同一の位置に複数のアイコンが配置されているかどうかを判定する（ステップＳ４１）。ステップＳ４１で「ＹＥＳ」と判定した場合、表示制御部１１１は表示条件を満たすアイコンを特定する（ステップＳ４２）。ここで、現在が「１月」であるとする。この場合、図１２に示す「処理Ａ」の実行を指示するアイコンＩ１１、及び「処理Ｃ」の実行を指示するアイコンＩ１３が表示条件を満たし、「処理Ｂ」の実行を指示するアイコンＩ１２、及び「処理Ｄ」の実行を指示するアイコンＩ１４が表示条件を満たさない。
【００５７】
次に、表示制御部１１１は、ステップＳ４２の処理に基づき、表示条件を満たすアイコンを２つ以上特定したかどうかを判定する（ステップＳ４３）。ここでは、表示制御部１１１は、ステップＳ４３で「ＹＥＳ」と判定し、表示条件を満たす２つ以上のアイコンのうち、表示優先度が最も高いアイコンを、アイコン画面に表示させる（ステップＳ４４）。ここでは、表示制御部１１１は、「処理Ａ」を指示するアイコンＩ１１を表示させる。
【００５８】
４月〜１０月の場合、表示制御部１１１は、ステップＳ４２でアイコンＩ１２のみが表示条件を満たしたものとして特定する。そして、表示制御部１１１は、ステップＳ４３で「ＮＯ」と判定し、特定したアイコンＩ１２をアイコン画面に表示させる（ステップＳ４５）。ここでは、表示制御部１１１は、アイコンＩ１２を表示させる。
【００５９】
１１月〜３月の場合、表示制御部１１１は、ステップＳ４２でアイコンＩ１３，Ｉ１４が表示条件を満たしたものとして特定する。そして、表示制御部１１１は、ステップＳ４３で「ＹＥＳ」と判定し、表示条件を満たすアイコンＩ１３，Ｉ１４のうち、表示優先度が最も高いアイコンＩ１３を、アイコン画面に表示させる（ステップＳ４５）。
【００６０】
なお、削除部１１７は、表示する期間がなくなったアイコンについては、アイコン画面から削除してもよい。又は、削除部１１７は、表示する期間がなくなったアイコンについては、通常時よりも削除に係る処理を減らして、そのアイコンを削除してもよい。削除に係る処理は、例えば、削除のための操作の回数、削除時に表示される画面の数、削除前の説明文の表示等である。
処理装置１０よれば、ユーザによる同一画面内の同一位置に表示されるアイコンの選択により、その選択のタイミングに応じた処理の実行を指示し得るようにする。
【００６１】
＜Ｅ：削除猶予期間の設定＞
図１４は、処理装置１０が行う、アイコンの密集度に応じた削除猶予期間の設定に係る処理を示すフローチャートである。アイコンの密集度は、２つ以上のアイコンが密集している度合いの指標であり、例えば、アイコンの数と、これらのアイコンが配置された位置とによって特定される。例えば、同一画面内のアイコンの数（総数）が多いほど密集度は高く、また、単位面積当たりに配置されているアイコンの数が多いほど密集度は高くなる。
【００６２】
まず、設定部１１６は、アイコンの密集度を判定する（ステップＳ５１）。次に、設定部１１６は、アイコンの密集度に応じた削除猶予期間を設定する（ステップＳ５２）。設定部１１６は、アイコンの密集度が高いほど削除猶予期間を短く、その密集度が低いほど削除猶予期間を長くする。これにより、処理の実行を指示するためのアイコンが誤選択されやすい状態を、早期に解消しやすくなる。
【００６３】
図１５は、処理装置１０が行うアイコンの密集度合いに応じた削除猶予期間の設定例を示す図である。
図１５の上段に示す例では、アイコンＩ１，Ｉ２，Ｉ５，Ｉ６が密集して配置されており、密集度が相対的に高い。よって、設定部１１６は、アイコン画面ＳＣ内のアイコンの削除猶予期間を短くするように補正する。図１５の下段に示す例では、アイコンＩ１，Ｉ４，Ｉ５が離れて配置されている。よって、設定部１１６は、アイコン画面ＳＣ内のアイコンの削除猶予期間を長くするように補正する。
なお、密集度に応じた削除猶予期間の設定は、複数のアイコン画面がある場合は、全ての画面で共通の方法であってもよいし、画面毎のアイコンの密集度に応じて設定されてもよい。また、削除部１１７は、図１５に破線で囲んだアイコンＩ１，Ｉ２，Ｉ５、Ｉ６と、アイコンＩ４とで、密集度に応じた削除猶予期間の設定方法を異ならせてもよい。これにより、処理の実行を指示するための画像が誤選択されやすい状態が早期に解消されやすくなる。
【００６４】
以上説明した処理装置１０によれば、アイコンを画面から削除するまでの期間を、当該アイコンに対して設定された情報に応じて変化させる。例えば、アイコンの存在が有用であるか否かは、ユーザの主観によるところが大きい。ユーザがよく選択するするアイコンは、ユーザが有用と考えている可能性がある。しかし、処理の性質上、高い頻度で実行される処理もあれば、頻度は低いが定期的に実行される処理もある。そして、どちらの処理の実行を指示するためのアイコンも、ユーザにとって有用な場合もある。このように、実行される頻度に差がある処理に対応するアイコンが混在する場合でも、処理装置１０によれば、ユーザにとって有用なアイコンが自動削除される可能性を低くし得る。特に、ワンタッチ選択用アイコンでは、１回の操作で処理が開始されるため、誤ってアイコンが選択された場合の不都合が大きい場合がある。しかし、削除猶予期間を経過したアイコンは自動削除されるので、誤選択の可能性は低くなる。
【００６５】
また、処理装置１０は、経過日数の計数に際しては、ユーザがログインした日の中で、その計数を行う。よって、ユーザが長期出張で処理装置１０を使用しなかった場合等、アイコンが使用されない原因が、そのアイコンがユーザにとって不要になったという原因でない場合にまでアイコンが自動削除されてしまう可能性が低くなる。
【００６６】
［変形例］
本発明は、上述した実施形態と異なる形態で実施してもよい。また、以下に示す変形例は、各々を組み合わせてもよい。
削除部１１７は、パラメータを設定する操作の複雑度が高い場合ほど、当該操作に応じて配置されたアイコンを削除するための処理を多くしてもよい。削除の処理は、前述した削除のための操作の回数、削除時に表示される画面の数、削除前の説明文の表示のほか、アイコンの削除に専用の削除画面を用いること等である。
【００６７】
削除部１１７は、削除可能リスト１７２の情報に基づいてアイコンを再配置した場合、そのアイコンを最初に作成する際に設定した削除猶予期間よりも長い削除猶予期間を設定してもよい。又は、削除部１１７は、削除猶予期間を設定しなくてもよい。この場合、ワンタッチ選択用アイコンであっても、自動削除されにくくなる。
【００６８】
処理装置１０のハードウェア構成や機能構成は、上述した実施形態で説明した構成に限られない。
上述した実施形態で説明した処理装置１０の構成又は動作の一部を省略してもよい。例えば、経過日数の計数に、ユーザがログインしていない日が含まれてもよい。
【００６９】
本発明の処理装置は、画像を形成する機能を有していなくてもよい。本発明の処理装置は、ユーザに指示された処理を実行する装置であればよく、具体的な処理の内容は特に問わない。よって、本発明の処理装置は、例えば、パーソナルコンピュータ等のコンピュータ装置や、スマートフォン等の携帯型の端末であってもよい。
本発明の指示受付部は、ワンタッチアイコンでなくてもよい。アイコンに限られず、処理の実行の指示を受け付ける要素（例えばメニューやボタン）であればよい。
【００７０】
上述した実施形態の制御部１１が実現する各機能は、１又は複数のハードウェア回路により実現されてもよいし、１又は複数のプログラムを演算装置が実行することにより実現されてよいし、これらの組み合わせにより実現されてもよい。また、制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取可能な記録媒体に記憶した状態で提供されてもよいし、ネットワークを介して配信されてもよい。また、本発明は、コンピュータが行う処理方法として把握し得る。
【符号の説明】
【００７１】
１０…処理装置、１１…制御部、１１１…表示制御部、１１２…第１受付部、１１３…第２受付部、１１４…実行部、１１５…配置部、１１６…設定部、１１７…削除部、１２…タッチスクリーン、１２１…表示部、１２２…タッチパネル、１３…通信部、１４…スタートボタン、１５…画像読取部、１６…画像形成部、１７…記憶部、１７１…アイコン情報、１７２…削除可能リスト。
【図１】
2018032250.tif 000003
【図２】
2018032250.tif 000004
【図３】
2018032250.tif 000005
【図４】
2018032250.tif 000006
【図５】
2018032250.tif 000007
【図６】
2018032250.tif 000008
【図７】
2018032250.tif 000009
【図８】
2018032250.tif 000010
【図９】
2018032250.tif 000011
【図１０】
2018032250.tif 000012
【図１１】
2018032250.tif 000013
【図１２】
2018032250.tif 000014
【図１３】
2018032250.tif 000015
【図１４】
2018032250.tif 000016
【図１５】
2018032250.tif 000017